(57)【要約】      （修正有）【課題】介助者の介護作業を軽減することができようにしたスリングシートを提供する。【解決手段】スリングシート４は、展開形状がほぼ長方形で、かつ被懸吊者の上、下肢を含む身体全体を載置可能な大きさの布製のスリングシート本体４１と、スリングシート本体４１の長さ方向のほぼ中央にあって、スリングシート本体４１の幅方向の両端に取り付けられ、かつ介護用リフトに吊支されるハンガーに吊下げ可能な左右の第１吊下げ部４２、４３と、スリングシート本体４１の長さ方向の一端に取り付けられ、ハンガーに吊下げ可能な左右の第２吊下げ部４４、４５と、スリングシート本体４１の長さ方向の一端における左右の第２吊下げ部４４、４５の間に取り付けられ、被懸吊者３の頭部を支持可能な枕部４６とを有する。これにり、被懸吊者３をスリングシート本体４１に寝かせた状態で、各吊下げ部をハンガーに吊り下げ可能とする。【選択図】図１
2010252898.tif 000002
【特許請求の範囲】
【請求項１】
展開形状がほぼ長方形で、かつ被懸吊者の上、下肢を含む身体全体を載置可能な大きさの布製のスリングシート本体と、該スリングシート本体の長さ方向である前後方向のほぼ中央にあって、前記スリングシート本体の幅方向である左右方向の両端に取り付けられ、かつ介護用リフトに吊支されるハンガーに吊下げ可能な左右の第１吊下げ部と、前記スリングシート本体の長さ方向の一端に取り付けられ、前記ハンガーに吊下げ可能な左右の第２吊下げ部と、前記スリングシート本体の長さ方向の一端における前記左右の第２吊下げ部の間に取り付けられ、被懸吊者の頭部を支持可能な枕部とを有し、
被懸吊者を前記スリングシート本体に寝かせた状態で、前記各吊下げ部を前記ハンガーに吊り下げ可能とすることを特徴とする介護用スリングシート。
【請求項２】
前記枕部は、前記スリングシート本体に縫着される枕カバーと、前記枕カバー内に設けられるクッション部材とを含み、
前記枕カバーを、前記クッション部材の全体または一部が、前記第２吊下げ部と前記スリングシート本体との連結部よりも前記スリングシート本体の内側になるように前記スリングシート本体の一端に取り付けたことを特徴とする請求項１記載の介護用スリングシート。
【請求項３】
前記スリングシート本体の表面及び裏面に、互いに異なる色彩または模様を施したことを特徴とする請求項１または２記載の介護用スリングシート。
【請求項４】
前記スリングシート本体の周囲に、前記スリングシート本体をベッド用シーツまたはベッド用パットとして使用する際、ベッドに敷かれるシーツホルダに設けられたストラップが掛止可能な多数の布ループを設けたことを特徴とする請求項１〜３のいずれかに記載の介護用スリングシート。
【請求項５】
請求項１〜４のいずれかに記載の介護用スリングシートを備えた介護用吊り装置であって、左右方向の中央部が前記介護用リフトに吊支される吊支部と、長手方向である前後方向のほぼ中央部が前記吊支部の左右両端部に固定されるとともに、前記左右の第１吊下げ部を吊り上げるための前後方向を向く左右の第１腕杆と、該左右の第１腕杆の後端部にそれぞれ設けられるとともに、前記左右の第２吊下げ部を吊り上げるための左右方向を向く左右の第２腕杆とを有するハンガーを備えたことを特徴とする介護用吊り装置。
【発明の詳細な説明】
【技術分野】
【０００１】
本発明は、自力歩行が困難な被懸吊者を搬送するときに用いられるスリングシート及び該スリングシートを備えた介護用吊り装置に関する。
【背景技術】
【０００２】
介護用のスリングシートは、自力歩行が困難な被懸吊者をベッド、車椅子、便座、風呂等の相互間を搬送するときに使用されるもので、被懸吊者を載置するためのスリングシート本体と、スリングシート本体に設けられた左右の前、後部吊下げストラップとを有する。被懸吊者を懸吊する場合には、スリングシート本体を被懸吊者の身体に装着すると共に、前、後部吊下げストラップの各先端部を介護用リフトに吊支されたハンガーの各フックにそれぞれ掛けて、スリングシートと共に被懸吊者を吊り上げるようになっている（例えば、特許文献１、２参照）。
【先行技術文献】
【特許文献】
【０００３】
【特許文献１】特開２００１−３１４４５８号公報
【特許文献２】特開２００３ー０３８５８４号公報
【発明の概要】
【発明が解決しようとする課題】
【０００４】
しかし、上述のようなスリングシートにおいては、ベッド上に寝ている被懸吊者を懸吊する場合には、スリングシートをベッド上に置き、この状態で、介助者が被懸吊者を抱きかかえながらスリングシート上に載せる介護作業を必要とする。しかし、この介護作業は、介助者の腰部への負担が大きく、腰痛を招く虞があるとともに、スリングシートの取り扱いが面倒であり、非懸吊者及び介助者共に負担が大きい問題を有する。
【０００５】
また、スリングシートの前、後部吊下げストラップは、ハンガーにおける互いに接近した前後のフックに掛けられるため、被懸吊者を載せた状態でスリングシートを介護用リフトによって吊り上げると、スリングシートは、全体的に被懸吊者を包み込むような形態となる。この形態は、介護用リフトによって吊り上げられた被懸吊者をスリングシート内で前屈み姿勢にさせる。この姿勢は、被懸吊者にとって極めて苦痛である。
【０００６】
本発明は、上記のような課題に鑑み、第１の目的は、介助者の介護作業を軽減することができようにしたスリングシートを提供することにある。
第２の目的は、スリングシートに載っている被懸吊者の苦痛を解消、または軽減することができるようにした介護用吊り装置を提供することを目的としている。
【課題を解決するための手段】
【０００７】
本発明によると、上記課題は、次のようにして解決される。
（１）展開形状がほぼ長方形で、かつ被懸吊者の上、下肢を含む身体全体を載置可能な大きさの布製のスリングシート本体と、該スリングシート本体の長さ方向である前後方向のほぼ中央にあって、前記スリングシート本体の幅方向である左右方向の両端に取り付けられ、かつ介護用リフトに吊支されるハンガーに吊下げ可能な左右の第１吊下げ部と、前記スリングシート本体の長さ方向の一端に取り付けられ、前記ハンガーに吊下げ可能な左右の第２吊下げ部と、前記スリングシート本体の長さ方向の一端における前記左右の第２吊下げ部の間に取り付けられ、被懸吊者の頭部を支持可能な枕部とを有し、被懸吊者を前記スリングシート本体に寝かせた状態で、前記各吊下げ部を前記ハンガーに吊り下げ可能とする。この構成により、スリングシート本体をベッド用シーツ、またはベッド用パッドとしても利用することができるとともに、被懸吊者をスリングシート本体に寝かせたままの状態で、被懸吊者を吊り上げることができる。この結果、介助者の介護作業を格段に軽減することができる。
【０００８】
（２）上記(１)項において、前記枕部は、前記スリングシート本体に縫着される枕カバーと、前記枕カバー内に設けられるクッション部材とを含み、前記枕カバーを、前記クッション部材の全体または一部が、前記第２吊下げ部と前記スリングシート本体との連結部よりも前記スリングシート本体の内側になるように前記スリングシート本体の一端に取り付ける。この構成により、スリングシート本体に載った被懸吊者を吊り上げる際、枕部が起立し、被懸吊者の頭部を確実に持ち上げて支持することができる。
【０００９】
（３）上記(１)または(２)項において、前記スリングシート本体の表面及び裏面に、互いに異なる色彩または模様を施す。この構成により、スリングシートをリバーシブル仕様とすることができる。
【００１０】
（４）上記(１)〜(３)項のいずれかにおいて、前記スリングシート本体の周囲に、前記スリングシート本体をベッド用シーツとして使用する際、ベッド（または、布団、マット）下に敷かれるシーツホルダに設けられたストラップが掛止可能な多数の布ループを設ける。この構成により、スリングシート本体をベッド用シーツとして使用した際、ベッド上におけるスリングシート本体４１のズレを確実に防止することができる。
【００１１】
（５）上記(１)〜(４)項のいずれかに記載の介護用スリングシートを備えた介護用吊り装置であって、左右方向の中央部が前記介護用リフトに吊支される吊支部と、長手方向である前後方向のほぼ中央部が前記吊支部の左右両端部に固定されるとともに、前記左右の第１吊下げ部を吊り上げるための前後方向を向く左右の第１腕杆と、該左右の第１腕杆の後端部にそれぞれ設けられるとともに、前記左右の第２吊下げ部を吊り上げるための左右方向を向く左右の第２腕杆とを有するハンガーを備える。この構成により、スリングシートは、ハンガーにおける互いに前後方向へ離間した第１腕杆及び第２腕杆により吊り上げられるため、被懸吊者を、前屈みにさせることなく楽な姿勢で吊り上げることができる。
【発明の効果】
【００１２】
本発明によると、被懸吊者をスリングシート本体に寝かせた状態で、各吊下げ部を介護用リフトに吊支されるハンガーに吊り下げることができ、介助者の介護作業を軽減することができる。また、被懸吊者を楽な姿勢で吊り上げることができ、被懸吊者の苦痛を解消、または軽減することができる。
【図面の簡単な説明】
【００１３】
【図１】本発明に係わるスリングシートをベッド上に敷いた状態のスリングシートの斜視図である。
【図２】同じくスリングシートをハンガーに掛けた状態のスリングシートの斜視図である。
【図３】同じく被懸吊者と共にスリングシートを吊り上げた状態のスリングシートの斜視図である。
【図４】同じくハンガーの斜視図である。
【図５】同じくスリングシートの展開図である。
【発明を実施するための形態】
【００１４】
以下、本発明に係わる一実施形態を、図面に基づいて説明する。
図１〜図３に示すように、本発明に係わる介護用吊り装置は、介護用リフト１に吊支されるハンガー２と、被懸吊者３を載せた状態で、ハンガー２と共に介護用リフト１により吊り上げられる布製の介護用のスリングシート４とを備える。
【００１５】
主に図４に示すように、ハンガー２は、左右方向の中央上部が介護用リフト１に吊支される正面視ほぼ弓状の金属製の吊支部２１と、長手方向である前後方向のほぼ中央部が吊支部２１の左右両端部に溶接などにより固着される前後方向を向く左右の第１腕杆２２、２３と、基部が左右の第１腕杆２２、２３の後端部に溶接等により固着される左右方向を向く左右の第２腕杆２４、２５とを有する。なお、ハンガー２は、吊支部２１の中央部分に設けられた上下方向を向く連結シャフト２１２を交換することによって、あらゆるタイプの介護用リフト１に吊支可能である。また、第１腕杆２２、２３は、本実施形態においては金属製の丸パイプにより形成されるが、本発明はこれに特定されるものではなく、表面処理、または合成樹脂製等によって形成しても良い。
【００１６】
ハンガー２における第１腕杆２２、２３は、スリングシート４の後述の左右の第１吊下げ部４２、４３を吊り上げるもので、第１腕杆２２、２３の前端部には、後側に向けて折り返されたＵ字状のフック２２ａ、２３ａが設けられている。フック部２２ａ、２３ａは、第１腕杆２２、２３の前半分の領域にそれぞれ吊り下げられるスリングシート４の左右の第１吊下げ部４２、４３が第１腕杆２２、２３の前端から滑り落ちないようにするものである。
【００１７】
ハンガー２の全体表面には、静電気植毛加工によって、肌触りの良い短繊維７が固着されている。また、当該短繊維７は、第１腕杆２２、２３に対する第１吊下げ部４２、４３の滑り止め効果をも有する。なお、静電気植毛加工は、ハンガー２の一部、例えば、第１腕杆２２、２３及び／または第２腕杆２４、２５のみに施しても良い。
【００１８】
第１腕杆２２、２３に対する第１吊下げ部４２、４３の滑り止めを行う手段としては、ハンガー２の表面に短繊維７を固着する以外に、第１腕杆２２、２３及び／または第２腕杆２４、２５の外周面に複数の溝部を凹設すること、滑り止め効果を有するテープ、布等を第１腕杆２２、２３及び／または第２腕杆２４、２５の外周面に貼着することが考えられる。
【００１９】
左右の第２腕杆２４、２５は、スリングシート４の後述の左右の第２吊下げ部４４、４５を吊り上げるもので、第２腕杆２４、２５の外端には、内側に向けて折り返されたＵ字状のフック２４ａ、２５ａ部が設けられている。フック部２４ａ、２５ａは、第２腕杆２４、２５に吊り下げられるスリングシート４の第２吊下げ部４４、４５が第２腕杆２４、２５の外端から滑り落ちないようにするものである。
【００２０】
主に、図１、５に示すように、スリングシート４は、展開形状がほぼ長方形で、かつ被懸吊者３の上、下肢を含む身体全体を載置可能な大きさの布製（合成樹脂の糸を織って作った合成繊維も含む）のスリングシート本体４１と、スリングシート本体４１の長さ方向である前後方向（図５において上下方向）のほぼ中央（スリングシート本体４１に載った被懸吊者３の臀部に相当する位置）にあって、スリングシート本体４１の幅方向である左右方向（図５において左右方向）の両端に縫着され、ハンガー２の第１腕杆２２、２３に吊下げ可能な布ループ状の左右の第１吊下げ部４２、４３と、スリングシート本体４１の長さ方向の一端である後端（スリングシート本体４１に載った被懸吊者３の頭部が位置する側の端）に縫着され、ハンガー２の第２腕杆２４、２５に吊下げ可能な布ループ状の左右の第２吊下げ部４４、４５と、左右の第２吊下げ部４４、４５の間にあって、スリングシート本体４１の長さ方向の一端に取り付けられ、被懸吊者３の頭部を支持可能な枕部４６とを有する。なお、第１吊下げ部４２、４３は、前後対称形状（図５参照）に形成される。これにより、スリングシート本体４１に載った被懸吊者３の臀部を安定させて支持することができる。
【００２１】
なお、本実施形態における第１吊下げ部４２、４３は、基部がスリングシート本体４１に縫着されるが、本発明はこれに特定されるものではない。例えば、面ファスナー、ボタン等を用いて、第１吊下げ部４２、４３をスリングシート本体４１に着脱可能として、スリングシート本体４１に対する第１吊下げ部４２、４３の取付位置を、被懸吊者３の体躯に応じて位置調整可能とする。
【００２２】
スリングシート本体４１は、表生地と裏生地とを二重縫製することより形成される。これにより、スリングシート本体４１の強度を確保して、被懸吊者３を安全に懸吊することができる。また、スリングシート本体４１の表生地と裏生地には、互いに異なる色彩または模様が施されている。これにより、スリングシート４をリバーシブル仕様とすることができ、被懸吊者３の好みの色彩及びそのときの流行に対応可能となる。
【００２３】
被懸吊者３を車椅子に乗せて移送する場合等、第１吊下げ部４２、４３は、被懸吊者３の膝掛けとして使用することができ、また、第２吊下げ部４４、４５は、被懸吊者３の肩当てとして使用することができ得る程度に、それぞれの大きさを設定するのが望ましい。
【００２４】
スリングシート本体４１の前端部には、第１吊下げ部４２、４３よりも若干前側に縫着された左右の第１ボタン４１ｂにそれぞれ嵌め合わせ可能な左右の第２ボタン４１ｃが縫着されている。図３に示すように、スリングシート本体４１の前部を折り返して、第１、２ボタン４１ｂ、４１ｃ同士を嵌め合わせることによって、被懸吊者３と共にスリングシート４を吊り上げた際、スリングシート本体４１の前部が大きく垂れ下がることを防止することができる。
【００２５】
枕部４６は、スリングシート本体４１の一端側に縫着される袋状の布製の枕カバー４６ａと、枕カバー４６ａ内に設けられるスポンジや発泡性樹脂のウレタンフォーム等によって成型されるクッション部材４６ｂとを含む。
【００２６】
主に図１及び図５に示すように、枕部４６は、クッション部材４６ｂの一部４６ｂ１が第２吊下げ部４４、４５とスリングシート本体４１との縫着部（連結部）４４ａ、４５ａよりもスリングシート本体４１の内側になって、クッション部材４６ｂの前後方向のほぼ１／３の領域がスリングシート本体４１に重合するように、換言するとスリングシート本体４１に載った被懸吊者３の肩口付近まで延びるようにスリングシート本体４の一端に取り付けられる。これにより、図２、３に示すように、第２吊下げ部４４、４５がハンガー２の第２腕杆２４、２５により吊り上げられて緊張状態になると、枕部４６も第２吊下げ部４４、４５の緊張に伴って起立する。この結果、スリングシート本体４１に載った被懸吊者３を吊り上げる際、被懸吊者３の頭部を確実に持ち上げて支持することができる。
【００２７】
なお、本実施形態に代えて、クッション部材４６ｂの全体が縫着部４４ａ、４５ａよりもスリングシート本体４１の内側になるように、枕部４６をスリングシート本体４１に設けても良い。
【００２８】
スリングシート本体４１は、被懸吊者３の上、下肢を含む身体全体を載置可能な大きさとすることによって、被懸吊者３を載せる役目は勿論のこと、ベッド用シーツ、またはベッド用パッドとしても利用することができる。
【００２９】
スリングシート本体４１をベッド用シーツまたはベッド用パッドとして利用する場合には、図１に示すように、ベッド５の底面に布製のシーツホルダー６を敷く。このシールホルダー６は、周縁に多数のストラップ６ａを有し、このストラップ６ａの先端に設けたフック部６ｂを、スリングシート本体４１の周縁に縫着された多数の布ループ４１ａにそれぞれ引っ掛けることによって、スリングシート本体４１のズレを確実に阻止することができる。なお、ストラップ６ａは、ゴムベルト、または長さ調整可能なストラップによって形成される。
【００３０】
スリングシート本体４１をベッド用シーツまたはベッド用パットとして利用する場合には、例えば、図１に示すように、ベッド５上に敷いたスリングシート本体４１に被懸吊者３を仰向けに寝かせたままの状態で、シーツホルダー６のストラップ６ａをスリングシート本体４１の布ループ４１ａから全て外した後、図２に示すように、スリングシート４の左右の第２吊下げ部４４、４５を介護用リフト１に吊支されているハンガー２の左右の第２腕杆２４、２５に吊り下げ、また、左右の第１吊下げ部４２、４３をハンガー２の左右の第１腕杆２２、２３の前半分の領域に吊り下げる。この状態で、介護リフト１を上昇駆動させることによって、スリングシート本体４１に寝ている被懸吊者３を、スリングシート４及びハンガー２と共に吊り上げて、目的地へ搬送することができる。
【００３１】
上述により、介助者は、被懸吊者３をベッド５上に寝かせたままの状態で、スリングシート４の各吊下げ部４２、４３、４４、４５をハンガー２の各腕杆２２、２３、２４、２５にそれぞれ吊り下げるだけの簡単な作業によって、被懸吊者３を介護用リフト１により吊り上げることができる。これは、介助者の腰部への負担を少なくし、介助者の介護作業を軽減することができる。
【００３２】
また、スリングシート４は、第１吊下げ部４２、４３及び第２吊下げ部４４、４５が、互いに左右及び前後方向へ離間している第１腕杆２２、２３及び第２腕杆２４、２５の４点により吊り上げられるので、被懸吊者３を前屈み姿勢にさせることなく、楽な姿勢で吊り上げることができ、被懸吊者３の苦痛を解消、または軽減することができる。
【００３３】
さらには、スリングシート４における第２吊下げ部４４、４５は、左右方向へ向く第２腕杆２４、２５によって吊り上げられるため、スリングシート本体４１に載置された被懸吊者３が後方へ仰け反るような体勢をとっても、第２吊下げ部４４、４５が後方へ滑る等して、スリングシート４全体が後傾するようなことはない。また、スリングシート本体４１の長さ方向のほぼ中央部に設けた第１吊下げ部４２、４３が、前後方向を向く第１腕杆２２、２３に吊り上げられるため、被懸吊者３の臀部部分がしっかりと保持される。この結果、被懸吊者３は、安心してスリングシート４に載ることができる。
【符号の説明】
【００３４】
１  介護用リフト
２  ハンガー
３  被懸吊者
４  スリングシート
５  ベッド
６  シーツホルダー
６ａ  ストラップ
６ｂ  フック部
７  短繊維
２１  吊支部
２２、２３  第１腕杆
２２ａ、２３ａ  フック部
２４、２５  第２腕杆
２４ａ、２５ａ  フック部
４１  スリングシート本体
４１ａ  布ループ
４１ｂ  第１ボタン
４１ｃ  第２ボタン
４２、４３  第１吊下げ部
４４、４５  第２吊下げ部
４４ａ、４５ａ  縫着部（連結部）
４６  枕部
４６ａ  枕カバー
４６ｂ  クッション部材
４６ｂ１  クッション部材の一部
２１２  連結シャフト
２２１  溝部（滑り止め手段）
【図１】
2010252898.tif 000003
【図２】
2010252898.tif 000004
【図３】
2010252898.tif 000005
【図４】
2010252898.tif 000006
【図５】
2010252898.tif 000007